(57)【要約】【課題】移動や塵埃排出時などに集塵タンクの取扱いが容易な電気掃除機を提供する。【解決手段】集塵タンク１と、複数の車輪と集塵タンク１を載置するための載置穴１２とペダルとを有するベース本体６と、を有し、載置穴１２には、集塵タンク１を載置穴１２に載置した状態で集塵タンク１をベース本体６に係止するための穴部１３と、集塵タンク１をベース本体６上方へ突出させるための連結部とが配置され、穴部１３と連結部は、ペダル８と接続されており、ペダル８が押下されると、穴部１３が集塵タンク１のベース本体６への係止を解除すると共に、連結部が集塵タンク１をベース本体６上方へ突出させる。【選択図】図２
2020096729.tif 000002
【特許請求の範囲】
【請求項１】
集塵タンクと、複数の車輪と前記集塵タンクを載置するための載置部を有するベース本体と、を有し、
前記ベース本体に、ホース又は延長管を取り付けるための吸気口保持部を設けた、電気掃除機。
【請求項２】
前記吸気口保持部は、前記ベース本体の前方側に配置されると共に、前記ホース又は延長管を装着するための吸気口部を有し、前記吸気口部はベース本体の前方に向けて開口している、請求項１に記載の電気掃除機。
【請求項３】
前記吸気口保持部は、前記ベース本体と一体的に形成されている、請求項１又は２に記載の電気掃除機。
【請求項４】
前記集塵タンクには、集塵タンク内部に塵埃を取り込むための取込開口が形成されており、前記吸気口部は前記吸気口保持部の裏面側まで開口しており、前記集塵タンクを前記ベース本体に装着した状態では、前記吸気口部と前記取込開口が連通する、請求項２又は３に記載の電気掃除機。
【発明の詳細な説明】
【技術分野】
【０００１】
本発明は、一般家庭で使用される電気掃除機に係り、特に電動送風機と集塵部を上下配置にし、電動送風機を内蔵した本体ユニットと集塵タンクとが着脱可能な電気掃除機に関するものである。
【背景技術】
【０００２】
従来のこの種の電気掃除機として、例えば特許文献１に記載の電気掃除機がある。
【０００３】
この電気掃除機は、走行用車輪を搭載した車輪ベースに集塵タンクをねじで係止した構造であり、更に、車輪ベース前方に把手を設け、使用者がこの把手を持ち集塵タンクと車輪ベースを傾斜させることにより、集塵タンク内のゴミを捨てることが可能である。
【先行技術文献】
【特許文献】
【０００４】
【特許文献１】特開２０１４−２２１１２９号公報
【発明の概要】
【発明が解決しようとする課題】
【０００５】
しかしながら上記特許文献１に記載された従来の電気掃除機では、集塵タンクにホースが接続される構成であるため、使用者が集塵タンク内のゴミを捨てる際には、ホースが邪魔となる可能性がある。
【課題を解決するための手段】
【０００６】
本発明の電気掃除機は、集塵タンクと、複数の車輪と前記集塵タンクを載置するための載置部を有するベース本体と、を有し、前記ベース本体に、ホース又は延長管を取り付けるための吸気口保持部を設けた、電気掃除機である。
【発明の効果】
【０００７】
本発明の電気掃除機によると、ベース本体に形成された吸気口保持部にホース又は延長管を取り付けることが可能であるため、使用者がベース本体から集塵タンクを外して集塵タンク内の塵埃を捨てる際にホースが邪魔になることがなく、容易に塵埃を捨てることが可能である。
【図面の簡単な説明】
【０００８】
【図１】実施の形態１における電気掃除機の斜視図。
【図２】電気掃除機の分解斜視図。
【図３】電気掃除機の集塵タンクをベース本体から取り外した状態を示す斜視図。
【図４】ベース本体を下方から見た斜視図。
【図５】集塵タンクがベース本体に係止された状態での部分断面図。
【図６】集塵タンクがベース本体に係止された状態での部分断面図。
【図７】集塵タンクをベース本体から取り外した状態での上面図。
【図８】集塵タンクをベース本体から取り外した状態での部分断面図。
【図９】集塵タンクの斜視図。
【図１０】実施の形態２における電気掃除機の斜視図。
【図１１】実施の形態２における電気掃除機の斜視図。
【図１２】実施の形態２における電気掃除機の分解斜視図。
【図１３】実施の形態２における電気掃除機の集塵タンクをベース本体から取り外した状態を示す斜視図。
【図１４】実施の形態２における電気掃除機の正面図。
【図１５】実施の形態２における電気掃除機の部分断面図。
【図１６】変形例における電気掃除機の集塵タンクをベース本体から取り外した状態を示す斜視図。
【図１７】変形例における電気掃除機の集塵タンクをベース本体から取り外した状態を示す斜視図。
【発明を実施するための形態】
【０００９】
以下、本発明の実施の形態について、図面を参照しながら説明する。なお、以下の説明では、同一または相当部分には同一符号を付し、重複する説明は省略する。また、本実施の形態によって、本発明が限定されるものではない。
【００１０】
第１の実施態様は、集塵タンクと、複数の車輪と前記集塵タンクを載置するための載置部を有するベース本体と、を有し、前記ベース本体に、ホース又は延長管を取り付けるための吸気口保持部を設けた、電気掃除機である。
【００１１】
第２の実施態様は、前記吸気口保持部は、前記ベース本体の前方側に配置されると共に、前記ホース又は延長管を装着するための吸気口部を有し、前記吸気口部はベース本体の前方に向けて開口している、電気掃除機である。
【００１２】
第３の実施態様は、前記吸気口保持部は、前記ベース本体と一体的に形成されている、電気掃除機である。
【００１３】
第４の実施態様は、前記集塵タンクには、集塵タンク内部に塵埃を取り込むための取込開口が形成されており、前記吸気口部は前記吸気口保持部の裏面側まで開口しており、前記集塵タンクを前記ベース本体に装着した状態では、前記吸気口部と前記取込開口が連通する、電気掃除機である。
【００１４】
（実施の形態１）
図１は、本発明の実施の形態１における電気掃除機の斜視図である。
【００１５】
図１の電気掃除機において、集塵タンク１は、前方にホース(図示せず)の端部が接続される吸気口部２を備え、集塵タンク１の左右側面には蓋部３を固定するためのクランプ４を備えている。
【００１６】
蓋部３は、電動送風機（図示せず）を内蔵し上面にハンドル５を有する。使用者はこのハンドル５を持つことにより、電気掃除機或いは集塵タンク１のみを移動させることが可能である。
【００１７】
集塵タンク１は、ベース本体６上に着脱可能に配置され、ベース本体６は複数の走行用車輪７を有する。走行用車輪７は、ベース本体６前方側に配置された車輪よりもベース本体６の後方側に配置された車輪の方が、車輪の直径が大きくなっている。
【００１８】
ベース本体６の後方にはペダル８が配置され、使用者がペダル８を踏むことにより、ベース本体６と集塵タンク１との係止が解除され、ベース本体６から集塵タンク１が外れる。
【００１９】
ベース本体６の前方側は、延長管やノズル等を挿入するためのノズル挿入部９を有している。
【００２０】
使用者が電気掃除機を収納する際には、延長管やノズル等をノズル挿入部９に挿入した状態で収納することにより、延長管やノズル等を紛失することを回避できるだけでなく、電気掃除機本体と付属部品等をまとめて収納することができる。
【００２１】
図２は、本発明の実施の形態１における電気掃除機の分解斜視図である。
【００２２】
図２に示すように、蓋部３は、集塵タンク１内に臨む吸込開口１０を有し、内部に電動送風機(図示せず)を内蔵し、集塵タンク１内の空気を吸込開口１０から吸い込む。
【００２３】
金属製の集塵タンク１は、蓋部３内の電動送風機側に塵埃が侵入するのを阻止するためのフィルター１１を備えている。
【００２４】
図３は、集塵タンク１をベース本体６から取り外した時の状態を示す斜視図である。
【００２５】
図３に示すようにベース本体６は、集塵タンク１を載置するための載置穴１２を有しており、この載置穴１２に集塵タンク１が着脱可能に載置される。
【００２６】
ベース本体６の載置穴１２が形成された部分の下方側は、載置穴１２の中央に向かって突となっており、集塵タンク１を載置穴１２に載置した際に、この突部分が集塵タンク１を支えるようになっている。
【００２７】
また、この載置穴１２には、載置穴１２に集塵タンク１を載置した状態で、ベース本体６の内、集塵タンク１の側面下方と対向するベース本体６部分には複数の穴部１３が設けられている。この穴部１３から係止部材１４が突出又は引っ込むようになっている。
【００２８】
穴部１３は、ベース本体６の後方側に２つ設けられ、前方側に２つ設けられている。
【００２９】
集塵タンク１の下方底面近傍は、外方に向けて突となったアンダーカット形状となっている。係止部材１４は、このアンダーカット形状の部分の直上で集塵タンク１に係止するようになっている。
【００３０】
載置穴１２では、第１の連結部材１５ａと第２の連結部材１５ｂが連結軸１５ｃで連結されており、第３の連結部材１５ｄと第４の連結部材１５ｅが連結軸１５ｆで連結されている。尚、これら第１の連結部材１５ａと第２の連結部材１５ｂと連結軸１５ｃ、第３の連結部材１５ｄと第４の連結部材１５ｅと連結軸１５ｆを単に連結部と称する。
【００３１】
第１の連結部材１５ａと第２の連結部材１５ｂは、連結軸１５ｃを軸として上下に移動可能であり、第３の連結部材１５ｄと第４の連結部材１５ｅは、連結軸１５ｆを軸として上下に移動可能である。第１の連結部材１５ａと第３の連結部材１５ｄはペダル８と接続或いは一体形成されている。
【００３２】
使用者が、ペダル８を踏むことにより、第１の連結部材１５ａと第２の連結部材１５ｂが、連結軸１５ｃを軸として上に上がると共に、第３の連結部材１５ｄと第４の連結部材１５ｅが連結軸１５ｆを軸として上に上がる。また、同時に穴部１３の奥に係止部材１４が引っ込む。このため、係止部材１４と集塵タンク１の係止が解除されるとともに、集塵タンク１が上方に持ち上がる。
【００３３】
図４は、ベース本体６を裏面側から見た斜視図である。
【００３４】
第１の連結部材１５ａはベース本体６の後方側にある一方の軸１６ａでベース本体６に対して回転可能に軸支されている。ペダル８が使用者により踏まれると、第１の連結部材１５ａはこの軸１６ａを軸にして上方に上がる。一方、第３の連結部材１５ｄもベース本体６の後方側にある片方の軸１６ａでベース本体６に対して回転可能に軸支されている。ペダル８が使用者により踏まれると、第３の連結部材１５ｄはこの軸１６ａを軸にして上方に上がる。
【００３５】
また、ベース本体６の前方側で、第２の連結部材１５ｂは、ベース本体６の前方側にある一方の軸１６ｂでベース本体６に対して回転可能に軸支されている。一方、ベース本体６の前方側で、第４の連結部材１５ｅは、ベース本体６の前方側にある片方の軸１６ｂでベース本体６に対して回転可能に軸支されている。
【００３６】
図５は、集塵タンク１がベース本体６に係止されたときのペダル８側の部分断面図である。図６は、集塵タンク１がベース本体６に係止されたときのベース本体６前方側の部分断面図である。
【００３７】
ペダル８と係止部材１４と第１の連結部材１５ａ及び第２の連結部材１５ｂは一体的に形成されている。尚、一体的ではなくてこれらの部品が連結された構造としても良い。
【００３８】
図５、図６に示すように、使用者がペダル８を踏んでいない状態では、穴部１３から係止部材１４が突出して、係止部材１４が集塵タンク１に係止している。
【００３９】
図７はベース本体６の平面図であり、図８は集塵タンク１をベース本体６に載置した状態における側面図である。但し、ベース本体６の部分のみ部分断面図となっている。
【００４０】
本実施の形態では、係止部材１４の端面を内方、かつ下方に向けて傾斜させた斜面１４ａを設けているので、塵埃を廃棄後、集塵タンク１をベース本体６に向けて押さえつけると、集塵タンク１の下端で係止部材１４の斜面１４ａが押さえられて係止部材１４が引っ込むため、使用者は容易に集塵タンク１をベース本体６に装着できることができる。
【００４１】
或いは、使用者がペダル８を踏むことにより、係止部材１４を穴部１３の奥に引っ込ませ、この状態で集塵タンク１を載置穴１２に載置し、続いて使用者がペダル８から足を離すと、係止部材１４が集塵タンク１の下方底面近傍部分のアンダーカット部分近傍に係止する。
【００４２】
次に、第１の実施形態の電気掃除機の使用例を以下に説明する。
【００４３】
使用者が、図１に示す集塵タンク１のクランプ４を外し、蓋部３上部に設けられたハンドル５を握り、蓋部３を集塵タンク１から取り外す。その後、図２に示すフィルター１１を集塵タンク１から取り外すと、図２に示すように、集塵タンク１内の塵埃が排出できる状態となる。
【００４４】
使用者は、集塵タンク１を塵埃廃棄場所へ移動する際、図８に示すように、ペダル８を踏むことにより係止部材１４が穴部１３の奥に引っ込み、集塵タンク１と係止部材１４との係止が解除されると共に連結軸１５ｃ（と連結軸１５ｆ）が集塵タンク１を上方に持ち上げるため、使用者は集塵タンク１を取り外せる状態となる。使用者は、集塵タンク１をベース本体６から取り外し、塵埃廃棄場所へ移動させることができる。使用者は、集塵タンク１を塵埃廃棄場所へ移動させた後に、図９に示すように集塵タンク１を横に向けて、集塵タンク１内のゴミを捨てることができる。
【００４５】
（実施の形態２）
次に実施の形態２について説明する。図１０は実施の形態２の電気掃除機の斜視図である。図１０に示す電気掃除機は、ベース本体６の前方に、吸気口部１７を有する吸気口保持部１８を有し、後方に、後方の走行用車輪７の高さと略同じ高さ或いは、後方の走行用車輪７の高さよりも高さが高いベース後部１９を有している。
【００４６】
図１０に示すように、吸気口保持部１８の上方に吸気口部１７が配されているが、吸気口部１７は、吸気口保持部１８の略中央の高さ或いは下方の高さ位置に配置しても良い。
【００４７】
電気掃除機のベース本体６には大型の集塵タンク１を載置する必要があるため、集塵タンク１の転倒がなく安全にベース本体６が走行するためには、ベース本体６の重量バランスを十分考慮して設計する必要がある。
【００４８】
このため、実施の形態２では、ベース本体６の前方に吸気口保持部１８を設けると共に、ベース本体６の後方に走行用車輪７の高さと略同じ或いは高い高さを有するベース後部１９を設けることにより、ベース本体６の重量バランスをとっている。このような構造であるために、ベース本体６が安定して走行することができる。
【００４９】
また、図１０に示すようにベース本体６の前方側には、延長管やノズル等を挿入するためのノズル挿入部９を有している。
【００５０】
使用者が電気掃除機を収納する際には、延長管やノズル等をノズル挿入部９に挿入した状態で収納することにより、延長管やノズル等を紛失することを回避できるだけでなく、電気掃除機本体と付属部品等をまとめて収納することができる。更に、延長管やノズル等をノズル挿入部９に挿入した状態ではその重み分、ベース本体６の前方が重くなり、このことが先ほど述べたようなベース本体６の重量バランスを保つことに寄与することになる。
【００５１】
図１０に示すように、ベース本体６の側面はベース後部１９から前方側に向けて滑らかな曲線となっており、載置穴１２の開口部分の形状も同じように滑らかな曲線となっている。このような形状は、電気掃除機の美的外観の向上に寄与している。
【００５２】
図１１は、図１０に示す電気掃除機の斜め後方から見た斜視図である。
【００５３】
図１１において、ベース本体６の後方には溝部２０が形成されており、この溝部２０の下方にはペダル８が配されている。
【００５４】
この溝部２０が形成されていることにより、ベース後部１９の左右両側が前後方向の厚さがあり、ベース後部１９の中央側が前後方向の厚さが薄い形状となっている。このため、使用者がペダル８を踏んだ際にベース本体６の後方中央部分に力が加わっても、ベース後部１９の左右両側の重量があるため、ベース本体６の前方が浮き上がることをできるだけ回避することができる。
【００５５】
尚、本実施例では、溝部２０の下方にペダル８が位置する構成としているが、ペダル８が溝部２０の上下方向に移動する構成としても良い。例えば、使用者がペダル８を踏んでいない状態では、スプリング等の弾性部材によりペダル８が溝部２０上方に位置し、使用者がペダル８を踏むと、弾性部材の力に抗してペダル８が溝部２０下方に移動する構成としても良い。
【００５６】
図１２は、図１１に示す電気掃除機の分解斜視図である。
【００５７】
図１２に示すように、蓋部３は、集塵タンク１内に臨む吸込開口１０を有し、内部に電動送風機(図示せず)を内蔵し、集塵タンク１内の空気を吸込開口１０から吸い込む。
【００５８】
金属製の集塵タンク１は、蓋部３内の電動送風機側に塵埃が侵入するのを阻止するためのフィルター１１を備えている。
【００５９】
図１３は、集塵タンク１をベース本体６から取り外した時の状態を示す斜視図である。
【００６０】
図１３に示すようにベース本体６は、集塵タンク１を載置するための載置穴１２を有しており、この載置穴１２に集塵タンク１が着脱可能に載置される。集塵タンク１をベース本体６に着脱するための構造は、実施の形態１の構成と同一であるため、説明を省略する。
【００６１】
図１４は、図１３に示す電気掃除機の正面図である。
【００６２】
図１５は、図１４に示す電気掃除機の吸気口保持部１８近傍の断面図である。
【００６３】
図１５に示すように、吸気口保持部１８にはパッキン２１が設けられており、このパッキンを介して、吸気口保持部１８と集塵タンク１の吸気口部２とが接続される。
【００６４】
このように、第２の実施例装置では、吸気口保持部１８がベース本体６側に形成されているため、使用者は、ホース等をベース本体側に形成された吸気口保持部１８の吸気口部１７に接続した状態で、集塵タンク１をベース本体６から外すことができる。
【００６５】
このため、ホースを集塵タンク１に接続する構成に比べて、集塵タンク１内の塵埃を捨てる際にホースが邪魔になることがなく、使用し易い電気掃除機を提供することができる。
【００６６】
（変形例）
本実施例装置の電気掃除機の変形例について説明する。
【００６７】
図１６は、本実施形態の電気掃除機の変形例である。例えば、集塵タンク１の上方前後側に使用者が持つための把手部２２を設けても良い。この把手部２２は、例えば集塵タンク１の左右側に設けても良く、集塵タンク１の縦方向における中央部分又は下方部分に設けても良い。
【００６８】
図１７は、本実施形態の電気掃除機の変形例である。例えば、集塵タンク１の上方開口部分に、略半円状の把手部２２を設けても良い。
【００６９】
本実施例では、第１の連結部材１５ａと第２の連結部材１５ｂが連結軸１５ｃで連結されており、第３の連結部材１５ｄと第４の連結部材１５ｅが連結軸１５ｆで連結されているが、集塵タンク１を上方に持ち上げる機構はこのような連結機構ではなく他の構成とすることも考えられる。
【００７０】
例えば、軸支された断面が略Ｌ字状の部材が上下に移動する構成にし、この部材が集塵タンク１を持ち上げるような構造としても良い。
【００７１】
本実施例装置では、吸気口部１７が吸気口保持部１８に固定されている構造であるが、吸気口部１７が上下方向に移動できる構造としても良い。このような構造とすることにより、大きさ（より詳細には高さ）の異なる集塵タンク１をベース本体６に載置することが可能となる。
【００７２】
本実施例装置では、ペダル８をベース本体６の後方側に設けたが、ベース本体６の前方側に設けた構造としても良い。
【００７３】
本実施例装置では、集塵タンク１の側面に吸気口部１７を設けたが、この吸気口部１７が上下方向に移動する構造としても良い。
【００７４】
本実施例装置では、集塵タンク１の底面が塞がった構造となっているが、集塵タンク１の底面が開閉可能とする構造としても良い。
【００７５】
後輪の走行用車輪７の軸の位置を、ペダル８よりも後方に配置する構造としても良い。
【産業上の利用可能性】
【００７６】
以上のように、本発明に係る電気掃除機は特に家庭、業務用等の電気掃除機等に広く適用できる。
【符号の説明】
【００７７】
１  集塵タンク
２  吸気口部
３  蓋部
４  クランプ
５  ハンドル
６  ベース本体
７  走行用車輪
８  ペダル
９  ノズル挿入部
１０  吸込開口
１１  フィルター
１２  載置穴
１３  穴部
１４  係止部材
１４ａ  斜面
１５ａ  第１の連結部材
１５ｂ  第２の連結部材
１５ｃ  連結軸
１５ｄ  第３の連結部材
１５ｅ  第４の連結部材
１５ｆ  連結軸
１６  軸
１７  吸気口部
１８  吸気口保持部
１９  ベース後部
２０  溝部
２１  パッキン
２２  把手部
【図１】
2020096729.tif 000003
【図２】
2020096729.tif 000004
【図３】
2020096729.tif 000005
【図４】
2020096729.tif 000006
【図５】
2020096729.tif 000007
【図６】
2020096729.tif 000008
【図７】
2020096729.tif 000009
【図８】
2020096729.tif 000010
【図９】
2020096729.tif 000011
【図１０】
2020096729.tif 000012
【図１１】
2020096729.tif 000013
【図１２】
2020096729.tif 000014
【図１３】
2020096729.tif 000015
【図１４】
2020096729.tif 000016
【図１５】
2020096729.tif 000017
【図１６】
2020096729.tif 000018
【図１７】
2020096729.tif 000019